(57)【特許請求の範囲】
【請求項１】
バッチを製造するバッチ製造装置であって、
本体部と、
前記本体部の内部に設けられる受け型であって、第１の蓋が載置される第１の載置部材と、前記第１の蓋と結合可能な第２の蓋が載置される第２の載置部材とを有する受け型と、
前記本体部の内部に設けられ、前記受け型に係合可能な押圧型と、
を備え、
前記受け型と前記押圧型とは、第１の位置、及び第２の位置にて係合可能であり、
前記本体部の内部に装着された受け型は、前記押圧型との係合が解除されることにより、前記本体部の内部から取り出し可能であるバッチ製造装置。
【請求項２】
請求項１記載のバッチ製造装置であって、
さらに、前記押圧型を前記受け型と係合させるべく操作される操作部を備えるバッチ製造装置。
【請求項３】
請求項１又は２記載のバッチ製造装置であって、
前記受け型は、前記本体部の内部に装着された状態で、前記押圧型の直下に位置するバッチ製造装置。
【請求項４】
請求項１から３のいずれか一項記載のバッチ製造装置であって、
前記受け型は把持部を有し、
前記受け型が前記本体部の内部に装着された際に、前記把持部は前記本体部と係合するバッチ製造装置。
【請求項５】
請求項１から４のいずれか一項記載のバッチ製造装置であって、
前記受け型は、前記第１の蓋を吸着可能な吸着部材を有するバッチ製造装置。
【請求項６】
請求項１から５のいずれか一項記載のバッチ製造装置であって、
前記第２の載置部材は、前記第１の載置部材の周囲に形成されているバッチ製造装置。
【請求項７】
請求項１から６のいずれか一項記載のバッチ製造装置であって、
前記受け型は、前記第１の載置部材に第１の蓋が載置され、前記第２の載置部材に第２の蓋が載置されることにより、前記第１の蓋と前記第２の蓋とを接触又は非接触にて重畳状態で保持するバッチ製造装置。
【請求項８】
請求項１から７のいずれか一項記載のバッチ製造装置であって、
前記受け型は台座をさらに有し、
前記第１の載置部材は、前記台座に固定され、
前記第２の載置部材は、前記台座に弾性部材を介して上下動可能に取り付けられているバッチ製造装置。
【請求項９】
請求項１から８のいずれか一項記載のバッチ製造装置であって、
前記第２の載置部材は、前記第２の蓋との接触面の少なくとも一部が金属製であるバッチ製造装置。
【請求項１０】
請求項１から９のいずれか一項記載のバッチ製造装置であって、
前記受け型と前記押圧型との係合位置を切り換える切り換え部材をさらに備え、
前記受け型と前記押圧型とは、前記切り換え部材の切り換え操作により、前記第１の位置又は前記第２の位置にて係合可能であるバッチ製造装置。
【請求項１１】
請求項１０記載のバッチ製造装置であって、
前記受け型と前記押圧型が係合する前記第１の位置において、前記受け型における前記第２の載置部材と前記台座とは第１の距離分離間し、
前記受け型と前記押圧型が係合する前記第２の位置において、前記受け型における前記第２の載置部材と前記台座とは、前記第１の距離よりも短い第２の距離分離間しているバッチ製造装置。
【請求項１２】
請求項１から１１のいずれか一項記載のバッチ製造装置であって、
前記受け型は、前記第１の蓋と前記第２の蓋と少なくとも一つのシート体とを、この順に重畳状態で載置可能であるバッチ製造装置。
【請求項１３】
請求項１２記載のバッチ製造装置であって、
前記受け型に載置された前記第１の蓋と前記第２の蓋と前記シート体のうち、前記押圧型を前記第２の位置にて前記受け型に係合させることにより、前記押圧型は、前記第２の蓋と前記シート体とを保持可能であるバッチ製造装置。
【請求項１４】
請求項１３記載のバッチ製造装置であって、
前記押圧型に保持された前記第２の蓋と前記シート体とは、前記押圧型を前記第１の位置にて前記受け型に係合させることにより、前記第１の蓋と結合されるバッチ製造装置。
【請求項１５】
請求項１２から１４のいずれか一項記載のバッチ製造装置であって、
前記シート体として、視認可能な情報が表示された第１のシート体と、透過性を有するシート体であって第１のシート体を覆う第２のシート体とを含むバッチ製造装置。
【発明の詳細な説明】
【技術分野】
【０００１】
本発明は、第１の蓋と第２の蓋とが結合されてなるバッチを製造するバッチ製造装置に関する。
【背景技術】
【０００２】
特許文献１に記載されたバッチ製造装置は、表蓋と裏蓋とが結合されてなるバッチを製造するものであって、表蓋が載置される第１の受け型と、裏蓋が載置される第２の受け型と、押圧型と、を備える。まず、表蓋が載置された第１の受け型を押圧型の直下に配置して押圧型を第１の受け型に係合させる。これにより、表蓋が押圧型に保持される。続いて第１の受け型を移動させ、裏蓋が載置された第２の受け型を押圧型の直下に配置し、表蓋を保持した押圧型を第２の受け型に係合させる。これにより、表蓋と裏蓋とが結合されてバッチが製造される。
【先行技術文献】
【特許文献】
【０００３】
【特許文献１】特開２０１４−２６１２２６号公報
【発明の概要】
【発明が解決しようとする課題】
【０００４】
特許文献１に記載されたバッチ製造装置では、表蓋は第１の受け型に載置され、裏蓋は第２の受け型に載置され、二つの受け型を要する。そして、第１受け型及び第２の受け型を順に押圧型の直下に配置し、押圧型を第１の受け型及び第２の受け型に順に係合させており、これら二つの受け型の移動に手間を要する。このため、ユーザーの利便性の点で改善の余地があった。
【０００５】
本発明は、上述した事情に鑑みなされたものであり、ユーザーにとっての利便性を高めることのできるバッチ製造装置を提供することを目的とする。
【課題を解決するための手段】
【０００６】
本発明に係るバッチ製造装置は、本体部と、前記本体部の内部に設けられる受け型であって、第１の蓋が載置される第１の載置部材と、前記第１の蓋と結合可能な第２の蓋が載置される第２の載置部材とを有する受け型と、前記本体部の内部に設けられ、前記受け型に係合可能な押圧型と、を備え、前記受け型と前記押圧型とは、第１の位置、及び第２の位置にて係合可能であり、前記本体部の内部に装着された受け型は、前記押圧型との係合が解除されることにより、前記本体部の内部から取り出し可能である。
【０００７】
また、本発明に係るバッチ製造装置においては、前記受け型は、前記本体部の内部に装着された状態で、前記押圧型の直下に位置してもよい。
【０００８】
また、本発明に係るバッチ製造装置においては、前記本体部の内部に装着された受け型は、前記押圧型との係合が解除されることにより、前記本体部の内部から取り出し可能であってもよい。
【０００９】
また、本発明に係るバッチ製造装置においては、前記受け型は把持部を有し、前記受け型が前記本体部の内部に装着された際に、前記把持部は前記本体部と係合してもよい。
【００１０】
また、本発明に係るバッチ製造装置においては、前記受け型は、前記第１の蓋を吸着可能な吸着部材を有してもよい。
【００１１】
また、本発明に係るバッチ製造装置においては、前記受け型は、前記第１の蓋が載置される第１の載置部材と、前記第２の蓋が載置される第２の載置部材とを有してもよい。
【００１２】
また、本発明に係るバッチ製造装置においては、前記第２の載置部材は、前記第１の載置部材の周囲に形成されてもよい。
【００１３】
また、本発明に係るバッチ製造装置においては、前記受け型は、前記第１の載置部材に前記第１の蓋が載置され、前記第２の載置部材に前記第２の蓋が載置されることにより、前記第１の蓋と前記第２の蓋とを接触又は非接触にて重畳状態で保持してもよい。
【００１４】
また、本発明に係るバッチ製造装置においては、前記受け型は台座をさらに有し、前記第１の載置部材は、前記台座に固定され、前記第２の載置部材は、前記台座に弾性部材を介して上下動可能に取り付けられてもよい。
【００１５】
また、本発明に係るバッチ製造装置においては、前記第２の載置部材は、前記第２の蓋との接触面の少なくとも一部が金属製であってもよい。
【００１６】
また、本発明に係るバッチ製造装置においては、前記受け型と前記押圧型との係合位置を切り換える切り換え部材をさらに備え、前記受け型と前記押圧型とは、前記切り換え部材の切り換え操作により、第１の位置又は第２の位置にて係合可能であってもよい。
【００１７】
また、本発明に係るバッチ製造装置においては、前記受け型と前記押圧型が係合する前記第１の位置において、前記受け型における前記第２の載置部材と前記台座とは、第１の距離分離間し、前記受け型と前記押圧型が係合する前記第２の位置において、前記受け型における前記第２の載置部材と前記台座とは、前記第１の距離よりも短い第２の距離分離間していてもよい。
【００１８】
また、本発明に係るバッチ製造装置においては、前記受け型は、前記第１の蓋と前記第２の蓋と少なくとも一つのシート体とを、この順に重畳状態で載置可能であってもよい。
【００１９】
また、本発明に係るバッチ製造装置においては、前記受け型に載置された前記第１の蓋と前記第２の蓋と前記シート体のうち、前記押圧型を前記第２の位置にて前記受け型に係合させることにより、前記押圧型は、前記第２の蓋と前記シート体とを保持可能であってもよい。
【００２０】
また、本発明に係るバッチ製造装置においては、前記押圧型に保持された前記第２の蓋と前記シート体とは、前記押圧型を前記第１の位置にて前記受け型に係合させることにより、前記第１の蓋と結合されてもよい。
【００２１】
また、本発明に係るバッチ製造装置においては、前記第１の蓋は裏蓋であり、前記第２の蓋は表蓋であってもよい。
【００２２】
また、本発明に係るバッチ製造装置においては、前記シート体として、視認可能な情報が表示された第１のシート体と、透過性を有するシート体であって第１のシート体を覆う第２のシート体とを含んでもよい。
【発明の効果】
【００２３】
本発明によれば、ユーザーにとっての利便性を高めることのできるバッチ製造装置を提供することができる。
【図面の簡単な説明】
【００２４】
【図１】（Ａ）はバッチの分解斜視図であり、（Ｂ）はバッチの断面図である。
【図２】（Ａ）及び（Ｂ）は、本発明の実施形態を説明するための、バッチ製造装置の一例の斜視図である。
【図３】バッチ製造装置の分解斜視図である。
【図４】受け型の分解斜視図である。
【図５】受け型の断面図である。
【図６】（Ａ）は切り換え部材が第１の位置にあるときの受け型の斜視図であり、（Ｂ）は切り換え部材が第１の位置にあるときの受け型の動作を示す模式図である。
【図７】（Ａ）は切り換え部材が第２の位置にあるときの受け型の斜視図であり、（Ｂ）は切り換え部材が第２の位置にあるときの受け型の動作を示す模式図である。
【図８】本体部及び押圧型並びに操作部の分解斜視図である。
【図９】（Ａ）は切り換え部材が第１の位置にあるときの押圧型の斜視図であり、（Ｂ）は切り換え部材が第１の位置にあるときの押圧型の動作を示す模式図である。
【図１０】（Ａ）は切り換え部材が第２の位置にあるときの押圧型の斜視図であり、（Ｂ）は切り換え部材が第２の位置にあるときの押圧型の動作を示す模式図である。
【図１１】バッチの製造工程を示す模式図である。
【図１２】バッチの製造工程を示す模式図である。
【図１３】バッチの製造工程を示す模式図である。
【図１４】バッチの製造工程を示す模式図である。
【図１５】バッチの製造工程を示す模式図である。
【発明を実施するための形態】
【００２５】
図１の（Ａ）は、本発明の実施形態に係るバッチ（組み立て前）の一例を示す分解斜視図であり、（Ｂ）は、本発明の実施形態に係るバッチ（組み立て後）の一例を示す断面図である。
【００２６】
バッチ１０は、裏蓋を構成する第１の蓋１１と、表蓋を構成する第２の蓋１２と、視認可能な情報１３ａが表示された第１のシート体１３と、第１のシート体１３の表面（上面）を覆う第２のシート体１４と、を備える。
【００２７】
第１の蓋１１は周縁が上方に向いた円形の金属板からなり、第２の蓋１２は周縁が下方に向いた円形の金属板からなる。第１の蓋１１の略中心には取付孔１１ａが形成されており、取付孔１１ａの周縁には一対の係止爪１１ｂ、１１ｂが形成されている。
【００２８】
第１のシート体１３は円形の紙又は合成樹脂板等のシート体からなり、第２のシート体１４は透過性を有する円形の合成樹脂板等のシート体からなる。
【００２９】
バッチ１０は、第１の蓋１１と、第２の蓋１２と、第１のシート体１３と、第２のシート体１４とがこの順に重畳され、第１のシート体１３及び第２のシート体１４のそれぞれの周縁部が折り曲げられて第１の蓋１１の周縁部と第２の蓋１２の周縁部との間に挟み込まれ、第２の蓋１２の周縁部が第１の蓋１１の周縁部に加締められて構成される。
【００３０】
なお、第１のシート体１３として、例えば表面に透明フィルムがラミネート又はコーティングされたシート体を使用した場合には、第１のシート体１３を覆う第２のシート体１４を省略することもできる。また、第２のシート体１４に文字、絵柄、模様等の情報を直接印刷してもよく、この場合には第１のシート体１３を省略することもできる。
【００３１】
このように構成されたバッチ１０は、第１の蓋１１の取付孔１１ａに安全ピン等の留め具（図示せず）が取り付けられ、この留め具を介して衣服、帽子、バック等の被装着物に装着される。
【００３２】
次に、図１に示したバッチ１０を製造するためのバッチ製造装置について説明する。図２の（Ａ）及び（Ｂ）は、本発明の実施形態に係るバッチ製造装置の一例の外観を示す斜視図、図３は、図２に示すバッチ製造装置の分解斜視図である。
【００３３】
バッチ製造装置２０は、本体部２１と、本体部２１の内部に着脱可能に装着される受け型３０と、受け型３０が本体部２１の内部に装着された際に本体部２１と係合する把持部３８と、本体部２１の内部に設けられ、受け型３０に係合可能な押圧型４０（後述）と、押圧型４０を受け型３０と係合させるべく操作される操作部５０と、を備える。本体部２１、把持部３８、受け型３０、押圧型４０及び操作部５０は、それぞれ合成樹脂成形体からなる。
【００３４】
図４は、受け型３０の分解斜視図であり、図５は、受け型３０の断面図である。
【００３５】
受け型３０は、バッチ１０の第１の蓋１１が載置される第１の載置部材３１と、バッチ１０の第２の蓋１２が載置され、第１の載置部材３１の周囲に配置された第２の載置部材３２と、を備える。すなわち、受け型３０は、第１の載置部材３１にバッチ１０の第１の蓋１１を載置し、第２の載置部材３２に第２の蓋１２を載置することにより、第１の蓋１１と第２の蓋１２とを接触又は非接触にて重畳状態で保持する。
【００３６】
第１の載置部材３１の上面（バッチ１０の第１の蓋１１が載置される面）には、マグネットからなる吸着部材３３が取り付けられている。従って、第１の蓋１１を鉄等の強磁性体材料で構成することにより、第１の蓋１１を第１の載置部材３１の上面に確実に吸着保持することができる。これにより、第２の蓋１２が切り換えキャップ４１に収容される際に、第１の蓋１１と共に収容されてしまうことを回避できる。  
【００３７】
第２の載置部材３２は、第２の蓋１２との接触面に金属製リング３４が取り付けられている。これにより、金属板からなる第２の蓋１２との接触による第２の載置部材３２の摩損を抑制することができる。
【００３８】
第２の載置部材３２の外周側壁には、上下方向に延在する複数の凸条３２ａが所定の間隔で形成されている。隣り合う凸条３２ａ、３２ａの間は凹溝３２ｂを構成している。
【００３９】
第１の載置部材３１は、台座３５の上面に固定され、第２の載置部材３２は、弾性部材３６を介して台座３５に上下動可能に取り付けられている。弾性部材３６は、例えば押しバネであり、図５に示すように、第１の載置部材３１の周囲に配置された第２の載置部材３２を上方に向けて付勢する。
【００４０】
第２の載置部材３２の下方において、第１の載置部材３１の周囲には、台座３５に回動可能に取り付けられた切り換えリング３７が配置されている。
【００４１】
切り換えリング３７の内周側壁には、上下方向に延在する複数の凸条３７ａが所定の間隔で形成されている。また、隣り合う凸条３７ａ、３７ａの間は凹溝３７ｂを構成している。
【００４２】
切り換えリング３７の外周側壁には、突起３７ｃが形成されている。一方、台座３５の上面には、切り換えリング３７の回動をガイドするリブ３５ａが形成されており、リブ３５ａの一部には、切り換えリング３７の回動範囲を規制する切り欠き３５ｂが形成されている。切り換えリング３７は、突起３７ｃがリブ３５ａの切り欠き３５ｂに挿入された状態で台座３５に取り付けられている。
【００４３】
図６の（Ａ）は、切り換えリング３７の突起３７ｃが第１の位置にあるときの受け型３０の斜視図であり、（Ｂ）は、突起３７ｃが第１の位置にあるときの受け型の動作を示す模式図である。
【００４４】
切り換えリング３７の突起３７ｃが第１の位置にあるときは、第２の載置部材３２の外周側壁に形成された凸条３２ａと、切り換えリング３７の内周側壁に形成された凸条３７ａとが上下方向に重なり合っている。
【００４５】
このときは、第２の載置部材３２の押し下げに対し、第２の載置部材３２に形成された凸条３２ａの下端部が切り換えリング３７に形成された凸条３７ａの上端部と当接し、第２の載置部材３２の下方への移動が規制される。第２の載置部材３２と台座３５との間には、切り換えリング３７の高さに相当する第１の距離Ｌ１があけられる。
【００４６】
一方、図７の（Ａ）は、切り換えリング３７の突起３７ｃが第２の位置にあるときの受け型３０の斜視図であり、（Ｂ）は、突起３７ｃが第２の位置にあるときの受け型の動作を示す模式図である。
【００４７】
切り換えリング３７の突起３７ｃが第２の位置にあるときは、第２の載置部材３２の外周側壁に形成された凸条３２ａと、切り換えリング３７の内周側壁に形成された凹溝３７ｂとが上下方向に重なり合い、また、切り換えリング３７の内周側壁に形成された凸条３７ａと、第２の載置部材３２の外周側壁に形成された凹溝３２ｂとが上下方向に重なり合っている。
【００４８】
このときは、第２の載置部材３２の押し下げに対し、第２の載置部材３２の凸条３２ａが切り換えリング３７の凹溝３７ｂに嵌入し、切り換えリング３７の凸条３７ａが第２の載置部材３２の凹溝３２ｂに嵌入して、第２の載置部材３２が切り換えリング３７の内側に進入すると共に、第１の載置部材３１が第２の載置部材３２から突き出される。第２の載置部材３２と台座３５との間には、第１の距離Ｌ１（図６参照）よりも短い第２の距離Ｌ２があけられる。
【００４９】
図８は、バッチ製造装置２０の本体部２１及び押圧型４０並びに操作部５０の分解斜視図である。
【００５０】
バッチ製造装置２０の本体部２１は、本体上部２２、本体中間部２３、切り換えリンク２４、本体下部２５、切り換えレバー２６、及び本体底部２７を有する。また、押圧型４０は、切り換えキャップ４１、及び切り換えキャップ４１に収容可能な押し窯４２を有し、操作部５０は、ハンドル５１、雌ねじ５２、雄ねじ５３、及び押圧型４０の切り換えキャップ４１を収容可能な押し窯キャップ５４を有する。
【００５１】
本体部２１の切り換えリンク２４は、一端（下端）が切り換えレバー２６に係合され、他端（上端）が押圧型４０の切り換えキャップ４１に形成された突起４１ｃに係合されている。
【００５２】
切り換えレバー２６は本体底部２７に回動自在に取り付けられており、切り換えレバー２６を第１の位置と第２の位置との間で回動させることにより、切り換えキャップ４１が切り換えリンク２４を介して第１の位置と第２の位置との間で回動する。また、受け型３０の切り換えリング３７の突起３７ｃ（図４参照）は、受け型３０が本体部２１の内部に装着された状態で切り換えリンク２４と係合し、突起３７ｃもまた、切り換えレバー２６を第１の位置と第２の位置との間で回動させることにより、切り換えリンク２４を介して第１の位置と第２の位置との間で回動する。
【００５３】
操作部５０の雄ねじ５３の一端（上端）はハンドル５１に連結され、雄ねじ５３の他端（下端）には押し窯キャップ５４及び押圧型４０の押し窯４２が回動可能に取り付けられている。雌ねじ５２は本体上部２２に固定されており、ハンドル５１を回動させることにより、雌ねじ５２に螺合した雄ねじ５３が上下動し、雄ねじ５３に取り付けられた押し窯キャップ５４及び押し窯４２もまた雄ねじ５３に連動して上下動する。
【００５４】
一方、押圧型４０の切り換えキャップ４１は、押し窯キャップ５４と押し窯４２との間で雄ねじ５３に沿って移動可能となっている。
【００５５】
図９の（Ａ）は、本体部２１の切り換えレバー２６が第１の位置にあるときの押圧型４０の斜視図であり、（Ｂ）は、切り換えレバー２６が第１の位置にあるときの押圧型４０の動作を示す模式図である。
【００５６】
切り換えレバー２６が第１の位置にあるときは、切り換えキャップ４１の外周側壁に形成された凸条４１ａと、押し窯キャップ５４に形成された凹溝５４ｂとが上下方向に重なり合い、また、押し窯キャップ５４に形成された凸条５４ａと、切り換えキャップ４１の外周側壁に形成された凹溝４１ｂとが上下方向に重なり合っている。
【００５７】
このときは、切り換えキャップ４１が下方から支持されるものとして、ハンドル５１の回動操作に伴い、切り換えキャップ４１の凸条４１ａが押し窯キャップ５４の凹溝５４ｂに嵌入し、押し窯キャップ５４の凸条５４ａが切り換えキャップ４１の凹溝４１ｂに嵌入して、切り換えキャップ４１が押し窯キャップ５４に収容されると共に押し窯４２が切り換えキャップ４１から突き出される。
【００５８】
図１０の（Ａ）は、本体部２１の切り換えレバー２６が第２の位置にあるときの押圧型４０の斜視図であり、（Ｂ）は、切り換えレバー２６が第２の位置にあるときの押圧型４０の動作を示す模式図である。
【００５９】
押圧型４０の切り換えキャップ４１の外周側壁には、上下方向に延在する複数の凸条４１ａが所定の間隔で形成されている。また、隣り合う凸条４１ａ、４１ａの間は凹溝４１ｂを構成している。
【００６０】
操作部５０の押し窯キャップ５４の内周側壁には、上下方向に延在する複数の凸条５４ａが所定の間隔で形成されている。また、隣り合う凸条５４ａ、５４ａの間は凹溝５４ｂを構成している。
【００６１】
切り換えレバー２６が第２の位置にあるときは、切り換えキャップ４１の外周側壁に形成された凸条４１ａと、押し窯キャップ５４の内周側壁に形成された凸条５４ａとが上下方向に重なり合っている。
【００６２】
このときは、ハンドル５１の回動操作に伴い、押し窯キャップ５４に形成された凸条５４ａの下端部が切り換えキャップ４１に形成された凸条４１ａの上端部と当接して切り換えキャップ４１は押し窯キャップ５４に押され、押し窯キャップ５４に押された切り換えキャップ４１は押し窯４２を収容した状態で押し窯４２及び押し窯キャップ５４と一体となって下方へ移動される。
【００６３】
次に、図１１〜図１５を参照して、バッチ製造装置２０を用いたバッチ１０の製造方法について説明する。
【００６４】
まず、図１１に示すように、受け型３０の第１の載置部材３１にバッチ１０の第１の蓋１１を載置し、第２の載置部材３２に第２の蓋１２を載置し、さらに、第２の蓋１２の上に第１のシート体１３と第２のシート体１４とを順に載置する。
【００６５】
そして、この状態で受け型３０をバッチ製造装置２０の本体部２１の内部に装着する。受け型３０を本体部２１の内部に装着すると、把持部３８（図２及び図３参照）が本体部２１に装着されるので、受け型３０を本体部２１の内部の定位置に確実に装着することができる。受け型３０は、本体部２１の内部に装着された状態で、押圧型４０の直下に位置する。
【００６６】
受け型３０を本体部２１の内部に装着した後、本体部２１の切り換えレバー２６を第２の位置に配置する。受け型３０においては、図７に示したとおり、第２の載置部材３２の凸条３２ａと切り換えリング３７の凹溝３７ｂとが上下方向に重なり合い、また切り換えリング３７の凸条３７ａと第２の載置部材３２の凹溝３２ｂとが上下方向に重なり合っており、押圧型４０においては、図１０に示したとおり、切り換えキャップ４１の突条４１ａと押し窯キャップ５４の凸条５４ａとが上下方向に重なり合っている。
【００６７】
次に、図１２に示すように、操作部５０のハンドル５１を回動操作し、受け型３０と押圧型４０とを係合させる。ハンドル５１の回動操作に伴い、押圧型４０の切り換えキャップ４１が、押し窯キャップ５４に押され、押し窯４２を収容した状態で押し窯４２及び押し窯キャップ５４と一体となって下方へ移動され、受け型３０の第２の載置部材３２に当接して第２の載置部材３２を押し下げる。
【００６８】
第２の載置部材３２の押し下げに伴って第１の載置部材３１が突き出され、第２のシート体１４及び第１のシート体１３並びに第２の蓋１２が切り換えキャップ４１に収容される。第２のシート体１４及び第１のシート体１３のそれぞれの周縁部が切り換えキャップ４１の内周側壁によって窄められて第２のシート体１４及び第１のシート体１３は切り換えキャップ４１に保持され、第２の蓋１２は、周縁部が窄められた第２のシート体１４及び第１のシート体１３に包まれることによって切り換えキャップ４１に保持される。
【００６９】
次に、図１３に示すように、操作部５０のハンドル５１を回動操作し、受け型３０と押圧型４０との係合を一旦解除する。そして、本体部２１の切り換えレバー２６を第１の位置に配置する。受け型３０においては、図６に示したとおり、第２の載置部材３２の凸条３２ａと切り換えリング３７の凸条３７ａとが上下方向に重なり合い、押圧型４０においては、図９に示したとおり、切り換えキャップ４１の凸条４１ａと押し窯キャップ５４の凹溝５４ｂとが上下方向に重なり合い、また、押し窯キャップ５４の凸条５４ａと切り換えキャップ４１の凹溝４１ｂとが上下方向に重なり合っている。
【００７０】
次に、図１４に示すように、操作部５０のハンドル５１を回動操作し、受け型３０と押圧型４０とを再び係合させる。ハンドル５１の回動操作に伴い、押圧型４０の切り換えキャップ４１が受け型３０の第２の載置部材３２に当接するが、第２の載置部材３２の凸条３２ａと切り換えリング３７の凸条３７ａとの当接によって第２の載置部材３２の下方への移動が規制される。切り換えキャップ４１は、第２の載置部材３２によって下方から支持されて押し窯キャップ５４に収容され、押し窯４２が切り換えキャップ４１から突き出される。
【００７１】
押し窯４２の切り換えキャップ４１からの突き出しに伴い、切り換えキャップ４１に収容された第２のシート体１４及び第１のシート体１３並びに第２の蓋１２が切り換えキャップ４１から押し出される。第２のシート体１４及び第１のシート体１３のそれぞれの周縁部は、第２の載置部材３２に取り付けられている金属製リング３４を摺動して第２の蓋１２の周縁に沿って折り曲げられ、第２の蓋１２の周縁部の内側に嵌り込む第１の蓋１１の周縁部によってさらに折り曲げられ、第１の蓋１１の周縁部と第２の蓋１２の周縁部との間に挟み込まれる。そして、第２の蓋１２の周縁部もまた、金属製リング３４を摺動して第２の蓋１２の周縁部の内側に嵌り込む第１の蓋１１の周縁部に加締められる。これによりバッチ１０の製造が完了する。
【００７２】
そして、図１５に示すように、操作部５０のハンドル５１を回動操作し、受け型３０と押圧型４０との係合を解除し、受け型３０をバッチ製造装置２０の本体部２１から取り出して、受け型３０に保持されたバッチ１０を取り出す。
【００７３】
このように、本発明によれば、一つの受け型３０でバッチ１０を製造でき、二つの受け型を用いる従来技術における受け型の移動に要する手間を省くことができる。これにより、バッチ１０を製造する際のユーザーの利便性を高めることができる。
【符号の説明】
【００７４】
１０  バッチ
１１  第１の蓋（裏蓋）
１２  第２の蓋（表蓋）
１３  第１のシート体
１４  第２のシート体
２０  バッチ製造装置
２１  本体部
２４  切り換えリンク（切り換え部材）
２６  切り換えレバー（切り換え部材）
３０  受け型
３１  第１の載置部材
３２  第２の載置部材
３３  吸着部材
３４  金属製リング
３５  台座
３６  弾性部材
３７  切り換えリング（切り換え部材）
３８  把持部
４０  押圧型
４１  切り換えキャップ（切り換え部材）
４２  押し窯
５０  操作部
５１  ハンドル
５２  雌ねじ
５３  雄ねじ
５４  押し窯キャップ
【図１】
0006770923.tif 000002
【図２】
0006770923.tif 000003
【図３】
0006770923.tif 000004
【図４】
0006770923.tif 000005
【図５】
0006770923.tif 000006
【図６】
0006770923.tif 000007
【図７】
0006770923.tif 000008
【図８】
0006770923.tif 000009
【図９】
0006770923.tif 000010
【図１０】
0006770923.tif 000011
【図１１】
0006770923.tif 000012
【図１２】
0006770923.tif 000013
【図１３】
0006770923.tif 000014
【図１４】
0006770923.tif 000015
【図１５】
0006770923.tif 000016